(57)【特許請求の範囲】
【請求項１】
光源を第１光量レベル値と該第１光量レベル値よりも大きい第２光量レベル値とでそれぞれ発光させる光源発光手段と、該手段によって前記光源から発光された光の発光パワー値を検出する発光パワー値検出手段と、該手段によって検出された発光パワー値と予め記憶した基準レベル値とを比較する比較手段と、該手段による比較結果に基づいて前記光源を発光させる駆動電流を調整する駆動電流調整手段と、前記光源から発光されたレーザ光により光ディスクに情報を記録する記録手段とを有し、
前記発光パワー値検出手段に、前記光源から前記第２光量レベル値に基づいて発光された光の発光パワー値を検出する第１発光パワー値検出手段と、前記光源から発光された光の発光パワー値の平均値を検出する第２発光パワー値検出手段と、前記記録手段の記録速度が低速な場合に前記第１発光パワー値検出手段を選択し、前記記録手段の記録速度が高速な場合に前記第２発光パワー値検出手段を選択する検出先選択手段とを設け、
前記比較手段に、前記記録手段の記録速度が低速な場合に前記第１発光パワー値検出手段によって検出された発光パワー値と比較する第１基準レベル値を選択し、前記記録手段の記録速度が高速な場合に前記第２発光パワー値検出手段によって検出された平均値と比較する第２基準レベル値を選択する基準レベル値選択手段とを設けたことを特徴とする情報記録装置。
【請求項２】
光源を第１光量レベル値と該第１光量レベル値よりも大きい第２光量レベル値と該第２光量レベル値よりも大きい第３光量レベル値とに基づいて発光させる光源発光手段と、該手段によって前記光源から発光された光の発光パワー値を検出する発光パワー値検出手段と、該手段によって検出された発光パワー値と予め記憶した基準レベル値とを比較する比較手段と、該手段による比較結果に基づいて前記光源を発光させる駆動電流を調整する駆動電流調整手段と、前記光源から発光されたレーザ光により光ディスクに情報を記録する記録手段とを有し、
前記発光パワー値検出手段に、前記光源から前記第２光量レベル値に基づいて発光された光の発光パワー値を検出する第１発光パワー値検出手段と、前記光源から発光された光の発光パワー値の平均値を検出する第２発光パワー値検出手段と、前記記録手段の記録速度が低速な場合に前記第１発光パワー値検出手段を選択し、前記記録手段の記録速度が高速な場合に前記第２発光パワー値検出手段を選択する検出先選択手段とを設け、
前記比較手段に、前記記録手段の記録速度が低速な場合に前記第１発光パワー値検出手段によって検出された発光パワー値と比較する第１基準レベル値を選択し、前記記録手段の記録速度が高速な場合に前記第２発光パワー値検出手段によって検出された平均値と比較する第２基準レベル値を選択する基準レベル値選択手段とを設け、
前記第１光量レベル値と、前記第２光量レベル値と、前記第１光量レベル値で前記光源を発光させるための駆動電流値と、前記第２光量レベル値で前記光源を発光させるための駆動電流値との関係により得られる効率値と、前記第３光量レベル値との関係により、前記光源を前記第３光量レベル値で発光させるときの駆動電流を調整する手段を設けたことを特徴とする情報記録装置。
【発明の詳細な説明】
【０００１】
【発明の属する技術分野】
この発明は、ＣＤ−Ｒ／ＲＷディスク等の記録媒体に情報を記録する光ディスクドライブ等の情報記録装置に関する。
【０００２】
【従来の技術】
近年、ＣＤ−Ｒ／ＲＷディスク等の記録媒体に情報を記録する情報記録装置が多用されており、例えば、半導体レーザの光出力を第１の光パワー値（Ｐ１）と第３の光パワー値（Ｐ３）と第４の光パワー値（Ｐ４）に設定し、その結果に基づいて第２の光パワー値（Ｐ２＝Ｐ１＋Ｐ４−Ｐ３）を設定する場合、Ｐ３＜Ｐ１のときはＰ４＜Ｐ２とＰ３＜Ｐ４＜Ｐ２であるので、記録パルス光のピーク値である第２の光パワー値（Ｐ２）がそれよりも低い３つの光パワー値（Ｐ１，Ｐ３，Ｐ４）によって設定することを可能とし、記録媒体に不要な信号を記録することがなく、ピーク値設定時の発光による半導体レーザの劣化を防止するようにした情報記録装置（例えば、特開平７−４４８８５号公報参照）があった。
【０００３】
例えば、情報記録装置として光ディスクに情報を記録する光りディスク装置では、光ディスクに記録するとき、記録レーザビームを読み取り時よりも高い記録パワーで変調する。
ＣＤ−Ｒ（Ｃｏｍｐａｃｔ  Ｄｉｓｃ  Ｒｅｃｏｒｄａｂｌｅ）ディスクのように記録面に有機色素記録膜を用いた書き込み可能な光ディスクの場合、半導体レーザ光源を読み取り時の発光パワー（Ｒｅａｄパワー）Ｐ１レベルと、Ｐ２＞Ｐ１なる書き込み時の発光パワー（Ｗｒｉｔｅ）Ｐ２レベルとで交互に発光させ、記録面上で発光パワーＰ２レベルで発光させたレーザ光を照射したところが穴（ピット）になり、発光パワーＰ１レベルで発光させたレーザ光を照射したところがスペースのままになる。
また、ＣＤ−Ｒディスクでも、Ｐ３＞Ｐ２なるＰ３レベルを設けて、発光パワーのＰ１レベル，Ｐ２レベル，Ｐ３レベルの３値で記録パワー波形を生成することがある。これは、Ｐ３レベルをピット先頭に位置付けるようにしてピットエッジを先鋭化するためである。
【０００４】
ＣＤ−ＲＷ（Ｃｏｍｐａｃｔ  Ｄｉｓｃ  ＲｅＷｒｉｔａｂｌｅ）ディスクのような相変化型の書き換え可能な記録媒体では、やはり３値を設けるが、発光パワーのＰ３レベルとＰ１レベルを高速で繰り返すことによって記録面上のレーザ光線の照射箇所をアモルファス（非結晶）化し、Ｐ２を持続させることによって結晶化させ、それを情報データに対応させる。
このようないくつかの変調パワーレベルを制御するのには、例えば上述のような情報記録装置のようにサンプリング回路を用いている。ＣＤ−Ｒの発光パワーのＰ１，Ｐ２レベル変調でいうなら、Ｐ２レベルをサンプリングし、それを基準値と比較して、その比較結果によって半導体レーザ光源のレーザ電流を制御する。
したがって、Ｐ２＝基準値になるようにパワー制御することができる。また、Ｐ１レベルは読み取りパワーであるから、例えば読み取り中のレーザ電流を保持しておく。
【０００５】
【発明が解決しようとする課題】
しかしながら、上述した従来の情報記録装置では、記録速度が高速になってくると変調速度もきわめて高速になるので、Ｐ２レベルを持続する時間がきわめて短くなり、高速なサンプリング回路が必要になる。しかし、高速なサンプリング回路を実現するのは一般には困難であり、たとえ実現できてもコスト高になるという問題があった。そこで、通常の安価なサンプリング回路を用いると今度は記録パワーが不正確になるという問題が発生する。
この発明は上記の課題を解決するためになされたものであり、高速なサンプリング回路を用いなくても光源の記録パワーを正確に制御できるようにすることを目的とする。
【０００６】
【課題を解決するための手段】
この発明は上記の目的を達成するため、光源を第１光量レベル値とその第１光量レベル値よりも大きい第２光量レベル値とでそれぞれ発光させる光源発光手段と、その手段によって上記光源から発光された光の発光パワー値を検出する発光パワー値検出手段と、その手段によって検出された発光パワー値と予め記憶した基準レベル値とを比較する比較手段と、その手段による比較結果に基づいて上記光源を発光させる駆動電流を調整する駆動電流調整手段と、上記光源から発光されたレーザ光により光ディスクに情報を記録する記録手段を有し、上記発光パワー値検出手段に、上記光源から上記第２光量レベル値に基づいて発光された光の発光パワー値を検出する第１発光パワー値検出手段と、上記光源から発光された光の発光パワー値の平均値を検出する第２発光パワー値検出手段と、上記記録手段の記録速度が低速な場合に上記第１発光パワー値検出手段を選択し、上記記録手段の記録速度が高速な場合に上記第２発光パワー値検出手段を選択する検出先選択手段を設け、上記比較手段に、上記記録手段の記録速度が低速な場合に上記第１発光パワー値検出手段によって検出された発光パワー値と比較する第１基準レベル値を選択し、上記記録手段の記録速度が高速な場合に上記第２発光パワー値検出手段によって検出された平均値と比較する第２基準レベル値を選択する基準レベル値選択手段を設けた情報記録装置を提供する。
【０００８】
また、光源を第１光量レベル値とその第１光量レベル値よりも大きい第２光量レベル値とその第２光量レベル値よりも大きい第３光量レベル値とに基づいて発光させる光源発光手段と、その手段によって上記光源から発光された光の発光パワー値を検出する発光パワー値検出手段と、その手段によって検出された発光パワー値と予め記憶した基準レベル値とを比較する比較手段と、その手段による比較結果に基づいて上記光源を発光させる駆動電流を調整する駆動電流調整手段と、上記光源から発光されたレーザ光により光ディスクに情報を記録する記録手段を有し、上記発光パワー値検出手段に、上記光源から上記第２光量レベル値に基づいて発光された光の発光パワー値を検出する第１発光パワー値検出手段と、上記光源から発光された光の発光パワー値の平均値を検出する第２発光パワー値検出手段と、上記記録手段の記録速度が低速な場合に上記第１発光パワー値検出手段を選択し、上記記録手段の記録速度が高速な場合に上記第２発光パワー値検出手段を選択する検出先選択手段を設け、上記比較手段に、上記記録手段の記録速度が低速な場合に上記第１発光パワー値検出手段によって検出された発光パワー値と比較する第１基準レベル値を選択し、上記記録手段の記録速度が高速な場合に上記第２発光パワー値検出手段によって検出された平均値と比較する第２基準レベル値を選択する基準レベル値選択手段を設け、上記第１光量レベル値と、上記第２光量レベル値と、上記第１光量レベル値で上記光源を発光させるための駆動電流値と、上記第２光量レベル値で上記光源を発光させるための駆動電流値との関係により得られる効率値と、上記第３光量レベル値との関係により、上記光源を上記第３光量レベル値で発光させるときの駆動電流を調整する手段を設けた情報記録装置も提供する。
【００１４】
【発明の実施の形態】
以下、この発明の実施形態を図面に基づいて具体的に説明する。
図１は、この発明の一実施形態である光ディスク装置のレーザパワー制御回路の構成例を示すブロック図である。
図２は、図１に示したレーザパワー制御回路による発光制御に係わる各種信号波形の変化を示す図である。
図３は、同じく図１に示したレーザパワー制御回路による発光制御に係わる各種信号波形の変化を示す図である。
図４は、図１に示したレーザパワー制御回路のドライバの内部構成を示すブロック図である。
図５は、図１に示したＬＤの電流対記録パワー特性を示す線図である。
【００１５】
図１に示すように、この情報記録装置はＣＤ−Ｒ／ＲＷディスク等の光ディスク２０の記録膜上に半導体レーザ光源から発生させたレーザ光（レーザビーム）を集光させて情報の記録及び再生を行う装置であり、そのレーザパワー制御回路は情報記録及び再生時の半導体レーザ光源の記録パワー（発光パワー）を制御する回路である。
まず、このレーザパワー制御回路において２種類の光量レベルを用いて記録制御を行う場合について説明する。
【００１６】
ピックアップ１はプリズム２，光源である半導体レーザ光源（ＬＤ）３，光ディテクタ（ＰＤ）４等を内蔵しており、ＬＤ３はドライバ１３からの駆動電流に応じた発光パワーで発光させたレーザ光を出射する。その出射ビームは光ディスク２０上に導かれると共に、プリズム２によって反射してＰＤ４にも照射される。ＰＤ４は、プリズム２から照射されるレーザ光を受光し、そのレーザ光に応じた信号に光電変換して出力する。すなわち、レーザ光の発光パワー値を検出してモニタする役割を持つ。ピックアップ１内には、一般には対物レンズやディスク反射光を受ける別の光ディテクタなども搭載しているが、その各部を含めてこの発明に直接関係無い公知技術の部分については図示を省略すると共に詳細な説明も省略する。
【００１７】
増幅器（Ａｍｐ）５は、ＰＤ４によって光電変換された発光パワー値の信号（発光パワーモニタ信号）を増幅する。その増幅された発光パワーモニタ信号を、サンプル・ホールド回路（Ｓ／Ｈ）６と低域フィルタ手段であるローパスフィルタ（ＬＰＦ）７へそれぞれ入力する。
Ｓ／Ｈ６は、サンプリングパルス信号Ｐ２ｓａｍｐｌｅによってＰＤ４からの発光パワーモニタ信号をサンプリングし、その光量レベル値を保持する。そのサンプリングパルス信号Ｐ２ｓａｍｐｌｅは、ＣＤ−Ｒディスクの場合は図２の（ｄ）に示したように、記録時にＬＤ３を発光させる発光パワーＰｏｗｅｒが最小光量レベルである第１光量レベル値Ｐ１よりも大きい第２光量レベル値Ｐ２の部分で生成してＳ／Ｈ６へ入力する。また、ＣＤ−ＲＷディスクの場合は図３の（ｄ）に示したように、消去時の発光パワーＰｏｗｅｒが第２光量レベル値Ｐ２（これも記録パワーレベルと同じように呼ぶ）で生成するのが好ましい。
【００１８】
第２光量レベル値Ｐ２は、再生時の発光レベルＰ１よりも大きい値であり、ＣＤ−ＲＷディスクの場合、図３に示したように、第２光量レベル値Ｐ２よりも大きい第３光量レベル値Ｐ３と第１光量レベル値Ｐ１との間で高速変調することによって記録膜がアモルファス化し、記録マークが形成される。また、第２光量レベル値Ｐ２によって記録膜が結晶化し、消去マークが形成される。これらの動作処理は公知技術なので詳細な説明は省略する。
ＣＤ−Ｒディスクの場合、第２光量レベル値Ｐ２によって光ディスク２０の記録面上に記録マークが形成され、再生時の第１光量レベル値Ｐ１ではスペースのままになる。さらに、図２の（ｄ）に示したように、第３光量レベル値Ｐ３を第２光量レベル値Ｐ２の冒頭に持ってくることで記録マークの前縁の形成がきれいになる場合がある。この動作処理も公知技術なので詳細な説明は省略する。
いずれにせよ、Ｓ／Ｈ６からは第２光量レベル値Ｐ２に応じた信号が出力される。
【００１９】
ＬＰＦ７は、発光パワーモニタ信号の低域成分を通過させる。つまりＰＤ４からの発光パワー値の平均値を検出する。図２の（ｄ）に示したように、ＣＤ−Ｒディスクの場合は、発光パワーＰｏｗｅｒの平均パワーＰａｖｅは図中に一点鎖線で示したレベル付近であるので、ＬＰＦ７の出力はそのレベルに応じたものになる。また、ＣＤ−ＲＷディスクの場合では、図３の（ｄ）に示したように、平均パワーＰａｖｅに応じたレベルになる。
この平均パワーＰａｖｅは、マークとスペース（消去マーク）の平均デューティが一定であって、第３〜第１光量レベル値Ｐ３，Ｐ２，Ｐ１で発生させる発光パワーの発生タイミング、つまり変調タイミングが既知であれば、予め第３〜第１光量レベル値Ｐ３，Ｐ２，Ｐ１から計算することができる。
【００２０】
例えば、簡単な例では、Ｐ３＝Ｐ２＝１０ｍＷ、Ｐ１＝１ｍＷとし、平均デューテイ５０％なら、
平均パワーＰａｖｅ＝（１０×０．５）＋（１×０．５）＝５．５ｍＷ
である。
すなわち、上記ＰＤ４，Ａｍｐ５，Ｓ／Ｈ６，ＬＰＦ７，第１ＳＥＬ８が、上記発光パワー値検出手段に相当し、上記Ｓ／Ｈ６が上記第１発光パワー値検出手段の機能を、上記ＬＰＦ７が上記第２発光パワー値検出手段の機能を、上記第１ＳＥＬ８が上記検出先選択手段の機能をそれぞれ果たす。
【００２１】
第１セレクタ（第１ＳＥＬ）８は、選択指令（ｓｅｌｅｃｔ  Ｈｉｇｈ  Ｓｐｅｅｄ：ＨＳ）に基づいてＳ／Ｈ６からの出力とＬＰＦ７からの出力のいずれか一方を選択する。まず、ＬＤ３のディジタル変調速度が低速であり、光ディスク２０への記録速度が遅いときは選択指令ＨＳ＝０としてＳ／Ｈ６からの出力を選び、その出力信号を比較回路９へ出力する。ＬＤ３のディジタル変調速度が高速であり、光ディスク２０への記録速度が速いときは選択指令ＨＳ＝１としてＬＰＦ７からの出力を選び、その出力信号を比較回路９へ出力するように切替制御を行う。したがって、高速ではＳ／Ｈ６を用いずにＬＰＦ７による平均パワーのモニタ信号を用いることになる。
【００２２】
比較回路９は、第１セレクタ８から出力された発光パワーモニタ信号と第２セレクタ（第２ＳＥＬ）１１から出力される基準レベル値Ｐ２Ｒｅｆとを比較し、その比較結果の信号を出力する。基準レベル値Ｐ２Ｒｅｆは、発光パワーモニタ信号がそのレベルになるようにＬＤ３の発光パワーを制御したい目標レベルに設定する。すなわち、上記比較回路９と第２ＳＥＬ１１が上記比較手段に相当し、上記第２ＳＥＬ１１が上記基準レベル値選択手段の機能を果たす。
第２セレクタ１１は、その基準レベル値Ｐ２Ｒｅｆとして、上記選択指令ＨＳに基づいて第１基準レベル値ＲｅｆＬと第２基準レベル値ＲｅｆＨという２つの基準レベル値のいずれか一方を選択して比較回路９へ出力する。まず、選択指令ＨＳが低速側（ＨＳ＝０）のとき第１基準レベル値ＲｅｆＬを選んで比較回路９へ出力し、選択指令ＨＳが高速側（ＨＳ＝１）のとき第２基準レベル値ＲｅｆＨを選んで比較回路９へ出力するように切替制御を行う。
【００２３】
上記第１基準レベルＲｅｆＬは、発光パワーモニタ信号として第２光量レベル値Ｐ２のサンプル・ホールド値が選ばれているときに選択するので、第２光量レベル値Ｐ２に対応したレベルにする。また、上記第２基準レベル値ＲｅｆＨは、発光パワーモニタ信号として平均値が選ばれているときに選択するため、平均パワーレベルに対応したレベルにする。
比較回路９における比較結果の信号を増幅回路１０によって増幅し、その出力信号ＩＰ２をドライバ１３に入力する。
ドライバ１３は、出力信号ＩＰ２に比例した駆動電流を、パルスＷＤ２がハイ“Ｈ”になっている間だけＬＤ３に流してＬＤ３の発光パワーを調整する。
また、パルスＷＤ２がロー“Ｌ”のときにはＬＤ３へ入力信号ＩＰ１の入力レベルに比例した駆動電流を流してＬＤ３の発光パワーを調整する。
【００２４】
すなわち、このドライバ１３が、上記光源発光手段と駆動電流調整手段の機能を果たす。
また、光源のディジタル変調速度が低速のときは、検出先選択手段に第１発光パワー値検出手段を選択させると共に基準レベル値選択手段に第１基準レベル値を選択させるように、光源のディジタル変調速度が高速のときは、検出先選択手段に第２発光パワー値検出手段を選択させると共に基準レベル値選択手段に第２基準レベル値を選択させるように上記選択指令を決定するようにしている。
【００２５】
なお、上述のレーザパワー制御回路において、好ましくは、入力信号ＩＰ１のレベルは、ＬＤ３が再生時の発光パワーの第１光量レベルＰ１で光っているときの必要レーザ電流を保持しておいて、それを記録中に与えるようにするとよい。また、再生パワーを一定パワーの第１光量レベルＰ１で制御する手段は、図示を省略するが、公知記述のパワー制御手段を使えばよい。例えば、第１光量レベルＰ１の発光パワーモニタ信号を基準レベル値と比較して増幅し、それを入力信号ＩＰ１としてドライバ１３に与える。その入力信号ＩＰ１のレベル値を適当な記憶手段に保持するとよい。例えば、Ａ／Ｄ変換器でディジタル化し、ラッチ回路で保持し、それをＤ／Ａ変換器でアナログに戻すなどの処理で保持するとよい。これは公知技術なので図示と詳細な説明を省略する。
【００２６】
次に、このレーザパワー制御回路において３種類の光量レベルを用いて記録制御を行う場合について説明する。
この場合のドライバ１３の内部構成は、図４に示した通りであり、それぞれ制御入力信号ＩＰ１，ＩＰ２，ＩＰ３の電圧レベルに比例した駆動電流を発生させる第１〜第３電流源２２，２３，２４を備えている。
第１〜第３スイッチ（第１〜第３ＳＷ）２５，２６，２７は、ロジック部２１によって入力信号ＷＤ１とＷＤ２の組み合わせ論理手段で発生される制御ロジック信号ＳＷ１，ＳＷ２，ＳＷ３で開閉されるスイッチ手段である。
ロジック部２１は、入力信号ＷＤ１とＷＤ２に基づいて第１〜第３光量レベル値Ｐ１，Ｐ２，Ｐ３に応じた発光パワーのレーザ光を発光させるための駆動電流を切り替えてＬＤ３に流すようにしている。
表１は、ロジック部２１における入力信号ＷＤ１とＷＤ２に基づく制御ロジック信号ＳＷ１，ＳＷ２，ＳＷ３の変化の一覧を示す表である。
【００２７】
【表１】
0003830754.tif 000002
【００２８】
表１に示すように、［ＷＤ１，ＷＤ２］＝［Ｌ，Ｌ］なら制御ロジック信号ＳＷ１がオン（ＯＮ）して、ＬＤ３には制御入力信号ＩＰ１（つまり第１光量レベル値Ｐ１）に相当する駆動電流を流す。また、［ＷＤ１，ＷＤ２］＝［Ｈ，Ｌ］なら制御ロジック信号ＳＷ３がＯＮして、ＬＤ３には制御入力信号ＩＰ３（つまり第３光量レベル値Ｐ３）に相当する駆動電流を流す。さらに、［ＷＤ１，ＷＤ２］＝［Ｌ，Ｈ］なら制御ロジック信号ＳＷ２がＯＮして、ＬＤ３には制御入力信号ＩＰ２（つまり第２光量レベル値Ｐ２）に相当する電流を流す。
なお、ここでは第１〜第３光量レベル値Ｐ１，Ｐ２，Ｐ３の３値に対応する駆動電流を流すドライバを挙げたが、上述のように第１〜第２光量レベル値Ｐ１，Ｐ２の２値だけでも記録膜の記録特性が満足できれば十分である。
【００２９】
例えば、ＣＤ−Ｒディスクのような有機色素系のある種の記録膜は、２値の光量レベル値を用いればよい。また、ＣＤ−ＲＷディスクのような相変化記録膜には一般には３値が必要とされるので、３値の光量レベル値を用いればよい。
第１〜第２光量レベル値Ｐ１，Ｐ２の２値だけなら、入力信号ＷＤ１を常時ロー“Ｌ”にし、入力信号ＷＤ２に記録データＷＤＡＴＡと同じ信号を入力すればよい。
【００３０】
また、上述の処理例では、制御ロジック信号ＳＷ１，ＳＷ２，ＳＷ３のどれか１つがＯＮして、第１〜第３制御入力信号ＩＰ１，ＩＰ２，ＩＰ３に相当する駆動電流のどれかひとつをＬＤ３へ流す構成を挙げたが、そうでなくてもよい。
例えば、第１光量レベル値Ｐ１を第１制御ロジック信号ＳＷ１（制御入力信号ＩＰ１相当）をＯＮし、第２光量レベル値Ｐ２を第１制御ロジック信号ＳＷ１と第２制御ロジック信号ＳＷ２を同時にＯＮ（制御入力信号ＩＰ１＋ＩＰ２相当）し、第３光量レベル値Ｐ３を第１制御ロジック信号ＳＷ１と第２制御ロジック信号ＳＷ２と第３制御ロジック信号ＳＷ３を同時にＯＮ（制御入力信号ＩＰ１＋ＩＰ２＋ＩＰ３相当）するというように、電流加算型にしてもよい。
その電流加算型の場合でも、入力信号ＷＤ１，ＷＤ２のタイミングと組み合わせたロジックの設計を所望のパワーレベル発生タイミングに応じて変更すれば容易に実現できる。
【００３１】
次に、第１〜第２光量レベル値Ｐ１，Ｐ２の２値の発光パワーを用いた場合の好ましい動作を説明する。
まず、ドライバ１３はＬＤ３が再生パワーで制御されているときの駆動電流に相当するレベルを制御入力信号ＩＰ１として保持しておく。
記録速度が低速のときは選択指令ＨＳ＝０とし、高速のときは選択指令ＨＳ＝１とする。また、入力信号ＷＤ１は常時ロー“Ｌ”とし、記録データパルスＷＤＡＴＡと同じ信号を入力信号ＷＤ２としてドライバ１３に入力する。
そして、上述の説明のように、選択指令ＨＳによって発光パワーモニタ信号として第２光量レベル値Ｐ２に基づくサンプル値を、あるいは平均値を選択すると共に、目標パワーレベルである基準レベル値Ｐ２Ｒｅｆもそれに応じた値に選択する。したがって、高速なサンプリング回路を設けなくても、記録速度が高速の場合と低速の場合のどちらの場合もＬＤ３の第２光量レベルＰ２が所望の値に制御することができる。
【００３２】
次に、第３光量レベル値Ｐ３による発光パワーの制御について説明する。
第３光量レベル値Ｐ３は、第２光量レベル値Ｐ２を発生させるための駆動電流に相当するレベルからレーザ効率値（電流対パワー比）を計算し、その効率値に基づいて計算することによって発生させる。その効率値は、図１に示した効率計算部１２が行う。
効率計算部１２における効率計算の処理手順を以下に示す。
まず、ドライバ１３は図４に示したような電流切り替え型を想定する。
ＬＤ３が第２光量レベル値Ｐ２で光っているときに必要な制御入力信号ＩＰ２及び第１光量レベル値Ｐ１で光っているときに必要な制御入力信号ＩＰ１に基づいて効率値は次式で求めることができる。
効率値＝（Ｐ２−Ｐ１）／（ＩＰ２−ＩＰ１）
【００３３】
図５に示したように、効率値は図中の直線の傾きに相当する。
したがって、ＬＤ３を第３光量レベル値Ｐ３で発光させるために必要な制御入力信号ＩＰ３は、次式によって求められる。
制御入力信号ＩＰ３＝ＩＰ１＋（Ｐ３−Ｐ１）／効率値
また、ＬＤ３が第２光量レベル値Ｐ２で光っているときに必要な制御入力信号ＩＰ２は、好ましくは選択指令ＨＳ＝０として、サンプリングによって第２光量レベル値Ｐ２の制御をしているときの制御入力信号ＩＰ２を用いるのがよい。
そして、一度効率値を求めたら任意の第３光量レベル値Ｐ３に対する制御入力信号ＩＰ３を一意に計算することができるから、その後は選択指令ＨＳ＝１としてもかまわない。
【００３４】
なお、図１に示したレーザパワー制御回路では、効率計算部１２による効率計算に第２光量レベル値Ｐ２として基準レベル値Ｐ２Ｒｅｆの電圧値を使っているが、これは単に第２光量レベル値Ｐ２に相当するレベルであれば問題なく、効率値の計算と第３光量レベル値ＩＰ３の計算をスケール変換するだけである。つまり第１光量レベル値Ｐ１や第３光量レベル値Ｐ３を基準レベル値Ｐ２Ｒｅｆと同じ単位系に変換して計算すればよい。
【００３５】
この実施形態のレーザパワー制御回路は、上述のような駆動電流の調整によってその他の光源の発光パワーを制御するものとして適用することも可能である。
また、上述の光ディスク装置をパーソナルコンピュータ等の情報処理装置に内蔵するようにすることもできる。
さらに、上述の処理では、光量レベル値として２値及び３値の場合について説明したが、同じようにしてさらに他種類の光量レベル値に基づいて駆動電流を調整することができる。
【００３６】
このようにして、この実施形態では、高速なサンプリング回路を用いなくても、記録スピードに応じてサンプリングによるモニタと平均値によるモニタを切り替えて光源の駆動電流を調整するので、高速変調が可能になり、低速記録でも高速記録でも光源を所望の発光パワー、すなわち記録パワーで発光させる制御を正確に行える。
また、３値による光量レベル値で光源の発光パワーを調整するので、より多彩な光学機器等の発光パワー制御装置として応用が可能になる。
【００３７】
【発明の効果】
以上説明してきたように、この発明の情報記録装置によれば、高速なサンプリング回路を用いなくても光源の記録パワーを正確に制御することができる。
【図面の簡単な説明】
【図１】この発明の一実施形態である光ディスク装置のレーザパワー制御回路の構成例を示すブロック図である。
【図２】図１に示したレーザパワー制御回路による発光制御に係わる各種信号波形の変化を示す図である。
【図３】同じく図１に示したレーザパワー制御回路による発光制御に係わる各種信号波形の変化を示す図である。
【図４】図１に示したレーザパワー制御回路のドライバの内部構成を示すブロック図である。
【図５】図１に示したＬＤの電流対記録パワー特性を示す線図である。
【符号の説明】
１：ピックアップ          ２：プリズム
３：半導体レーザ光源（ＬＤ）
４：光ディテクタ（ＰＤ）  ５：増幅器（Ａｍｐ）
６：サンプル・ホールド回路（Ｓ／Ｈ）
７：ローパスフィルタ（ＬＰＦ）
８：第１セレクタ（第１ＳＥＬ）
９：比較回路              １０：増幅回路
１１：第２セレクタ（第２ＳＥＬ）
１２：効率計算部          １３：ドライバ
２０：光ディスク          ２１：ロジック部
２２〜２４：電流原
２５：第１スイッチ（第１ＳＷ）
２６：第２スイッチ（第２ＳＷ）
２７：第３スイッチ（第３ＳＷ）
【図１】
0003830754.tif 000003
【図２】
0003830754.tif 000004
【図３】
0003830754.tif 000005
【図４】
0003830754.tif 000006
【図５】
0003830754.tif 000007